(57)【要約】本発明は、文字メッセージの統合管理機能を提供する移動通信端末機及びその方法に関するものである。本発明は、ユーザ端末機と相手方端末機との間に送受信される発信／受信文字メッセージを統合して時間順で共に出力する移動通信端末機であって、多数の数字キー、文字キー、通話キー、及び終了キーを具備してダイヤリング（Dialing）、メニュー選択、通話終了、及び命令入力のためのキー選択機能を提供し、上記移動通信端末機の文字メッセージ統合管理モードを選択した後、文字メッセージ編集器を駆動して、上記発信文字メッセージを作成し、上記発信文字メッセージの転送方法に対する実行環境を設定、格納するためのデータ入力手段としてのキー入力部と、電源の使用程度、電波の受信強度、上記移動通信端末機の全般的な動作状態を表示し、上記文字メッセージ統合管理モードを提供するためのインターフェース画面と上記発信文字メッセージと上記受信文字メッセージとを統合して出力する画面、上記発信文字メッセージの転送方法に対する環境設定のためのユーザインターフェース画面を表示するディスプレイ部と、上記文字メッセージ統合管理モードの上記文字メッセージ編集器で上記発信文字メッセージを作成し、発信者、一人以上の受信者を含む上記発信文字メッセージの転送方法に対する環境設定データを入力及び格納した後、上記一人以上の受信者に上記発信文字メッセージを転送すると、これに対する応答として上記一人以上の受信者から上記受信文字メッセージの転送を受けてメッセージ受信箱の受信目録のうち、どれか一つの受信者項目に上記発信文字メッセージと上記受信文字メッセージを時間順で統合して出力する文字メッセージ統合管理プログラムが内蔵されているメモリと、決まった通信プロトコルに従いデータの送受信が処理されるように制御し、上記メモリに格納されている上記文字メッセージ統合管理プログラムを駆動して上記発信文字メッセージと上記受信文字メッセージを統合した履歴を出力してくれる上記移動通信端末機を制御するマイクロプロセッサと、を含むことを特徴とする文字メッセージの統合管理機能を提供する方法を提供する。本発明によると、ユーザ端末機と特定相手方端末機との間に送受信される発信／受信文字メッセージを統合して時間順で共に出力する文字メッセージの統合管理機能を提供することで、恋人間の対話やスタディーグループ、サークルグループのように、頻繁に、かつ数名の人が文字メッセージをやりとりする場合、発信／受信文字メッセージの履歴を容易に追跡できる便利な効果がある。
2008544628.tif 000002
【特許請求の範囲】
【請求項１】
ユーザ端末機と相手方端末機との間に送受信される発信／受信文字メッセージを統合して時間順で共に出力する移動通信端末機であって、
多数の数字キー、文字キー、通話キー、及び終了キーを具備してダイヤリング（Dialing）、メニュー選択、通話終了、及び命令入力のためのキー選択機能を提供し、前記移動通信端末機の文字メッセージ統合管理モードを選択した後、文字メッセージ編集器を駆動して、前記発信文字メッセージを作成し、前記発信文字メッセージの転送方法に対する実行環境を設定、格納するためのデータ入力手段としてのキー入力部と、
電源の使用程度、電波の受信強度、前記移動通信端末機の全般的な動作状態を表示し、前記文字メッセージ統合管理モードを提供するためのインターフェース画面と前記発信文字メッセージと前記受信文字メッセージとを統合して出力する画面、前記発信文字メッセージの転送方法に対する環境設定のためのユーザインターフェース画面を表示するディスプレイ部と、
前記文字メッセージ統合管理モードの前記文字メッセージ編集器で前記発信文字メッセージを作成し、発信者、一人以上の受信者を含む前記発信文字メッセージの転送方法に対する環境設定データを入力及び格納した後、前記一人以上の受信者に前記発信文字メッセージを転送すると、これに対する応答として前記一人以上の受信者から前記受信文字メッセージの転送を受けてメッセージ受信箱の受信目録のうち、どれか一つの受信者項目に前記発信文字メッセージと前記受信文字メッセージを時間順で統合して出力する文字メッセージ統合管理プログラムが内蔵されているメモリと、
決まった通信プロトコルに従いデータの送受信が処理されるように制御し、前記メモリに格納されている前記文字メッセージ統合管理プログラムを駆動して前記発信文字メッセージと前記受信文字メッセージを統合した履歴を出力してくれる前記移動通信端末機を制御するマイクロプロセッサと、
を含むことを特徴とする文字メッセージの統合管理機能を提供する移動通信端末機。
【請求項２】
前記受信目録は、特定電話番号または統合管理グループ名を含むことを特徴とする請求項１記載の文字メッセージの統合管理機能を提供する移動通信端末機。
【請求項３】
前記特定電話番号は、文字メッセージが受信者に送信されたときに、前記文字メッセージ編集器における文字メッセージの転送方法に対する環境設定の受信者項目に入力されることを特徴とする請求項２記載の文字メッセージの統合管理機能を提供する移動通信端末。
【請求項４】
前記統合管理グループ名は、文字メッセージが、当該統合管理グループ名の下で１以上の受信者に送信されたときに、前記文字メッセージ編集器における文字メッセージの転送方法に対する環境設定の受信者項目に入力されることを特徴とする請求項２記載の文字メッセージの統合管理機能を提供する移動通信端末。
【請求項５】
前記文字メッセージ編集器は、文字メッセージエディタ、発信者項目、受信者項目、及び統合管理グループ名入力項目を含むことを特徴とする請求項１記載の文字メッセージの統合管理機能を提供する移動通信端末機。
【請求項６】
前記移動通信端末機は、
前記ユーザ端末機の前記メッセージ受信箱に既に格納されている前記特定電話番号または前記統合管理グループ名が存在する場合、この後に同一な前記特定電話番号または前記統合管理グループ名を通じて送受信される前記発信／受信文字メッセージは、既に格納されている発信／受信文字メッセージの履歴に追加して前記ユーザ端末機の液晶画面に統合して出力することを特徴とする請求項１記載の文字メッセージの統合管理機能を提供する移動通信端末機。
【請求項７】
前記移動通信端末機は、
前記ユーザ端末機の前記メッセージ受信箱に既に格納されている前記特定電話番号または前記統合管理グループ名を選択し、前記ユーザ端末機から前記発信文字メッセージを転送することになると、既に設定されている一人以上の受信者に同時に発信者が作成した前記発信文字メッセージが自動転送されるように制御することを特徴とする請求項１記載の文字メッセージの統合管理機能を提供する移動通信端末機。
【請求項８】
ユーザ端末機と相手方端末機との間に送受信される発信／受信文字メッセージを統合して時間順で共に出力する文字メッセージの統合管理機能を提供する方法であって、
（ａ）文字メッセージ編集器により前記発信文字メッセージを作成し、前記発信文字メッセージの転送方法に対するオプションを一つ以上選択して、オプションデータを入力することで、前記発信文字メッセージの転送方法に対する環境を設定するステップと、
（ｂ）前記発信文字メッセージを前記相手方端末機へ転送し、これに対する応答として前記相手方端末機から前記受信文字メッセージの転送を受けるステップと、
（ｃ）前記ユーザ端末機に形成されているメッセージ受信箱の受信目録のうち、どれか一つの受信者項目を選択する場合、前記ユーザ端末機の液晶画面に前記受信者項目とやりとりした前記発信文字メッセージと前記受信文字メッセージを時間順で統合して出力するステップと、
を含むことを特徴とする文字メッセージの統合管理機能を提供する方法。
【請求項９】
前記方法は、
（ｄ）前記ユーザ端末機の前記メッセージ受信箱に既に格納されている前記特定電話番号または前記統合管理グループ名が存在する場合、この後に同一な前記特定電話番号または前記統合管理グループ名を通じて送受信される前記発信／受信文字メッセージは、既に格納発信／受信文字メッセージの履歴に追加して前記ユーザ端末機の液晶画面に統合して出力するステップをさらに含むことを特徴とする請求項８記載の文字メッセージの統合管理機能を提供する方法。
【請求項１０】
前記方法は、
前記ユーザ端末機のメッセージ受信箱に既に格納されている前記特定電話番号または前記統合管理グループ名を選択し、前記ユーザ端末機から前記発信文字メッセージを転送することになれば、既に設定されている一人以上の受信者に同時に発信者が作成した前記発信文字メッセージが自動転送されるように制御することを特徴とする請求項８記載の文字メッセージの統合管理機能を提供する方法。
【発明の詳細な説明】
【技術分野】
【０００１】
本発明は、文字メッセージの統合管理機能を提供する移動通信端末機及びその方法に関し、より詳しくは、文字メッセージ統合管理モードで発信文字メッセージを作成する場合、ユーザ端末機へ転送される受信文字メッセージと相手方端末機へ転送した発信文字メッセージを統合して、メッセージ受信箱の特定電話番号または統合管理グループ名を通じて発信／受信文字メッセージを時間順で画面に共に出力する移動通信端末機及びその方法に関する。
【背景技術】
【０００２】
移動通信技術が発展するにつれて、移動通信端末機の小型、軽量化がなされながら、個人携帯型移動電話（セルラーフォン、ＰＣＳフォン等）が急激に拡散されている。このように、移動通信端末機が普遍化するによって、移動通信端末機を利用した多様な移動通信サービスが開発されている。
【０００３】
一般に、移動通信端末機のユーザが使用する移動通信サービスとしては、基本的に対話者間の音声をやりとりする音声通話、文字をやりとりするＳＭＳ（Shot Message Service）などの文字通信、音声を格納してから要請により転送する音声私書箱などの音声メッセージ転送が挙げられる。
【０００４】
それだけでなく、最近は、無線でインターネットサービスに接続できる無線インターネットサービス、移動通信端末機が移動するにつれて随時に現在の位置を把握できるように支援する位置追跡機能などが登場している。
【０００５】
その中で、文字メッセージサービスは、ＳＭＳ（Shot Message Service；以下、‘ＳＭＳ’と称する）と呼ばれる両方向データ無線呼び出しサービスであって、端末と端末との間に最大１５０バイトの速度でデータを転送し、総８０バイトの文字転送が可能である。文字メッセージサービスは、別途の付加装備なくても、発送時点とほぼ同時に内容伝達が可能であり、ユーザの便宜のために対話形式で情報が提供されるので、誰でも容易に使用できるという点で、青少年は勿論、情報利用に門外漢である中壮年層の利用も増えている。
【０００６】
また、文字メッセージサービスは、初期には主に音声通話の補助手段としての意思疎通手段として利用されたが、低廉な発送料金を基盤にして徐々にマーケッティングと顧客管理手段にその用途が拡大されている。このサービスを利用すると、天気予報、ニュース、株式情報など、日常生活に必要な各種情報検索サービスの提供を受けることができ、最近は、クレジットカード会社が取引承認内容を文字メッセージを通じて転送するサービスを導入する等、電子決済、電子商取引にまで徐々にその活用範囲が拡大されている。
【０００７】
一般に、若い年齢帯のユーザであるほど文字メッセージの使用頻度は高まり、これによって一人あるいは多数の人と短い時間内に多数個の文字メッセージをやりとりする場合がしばしば発生する。このような場合、文字メッセージは、一種のインスタントメッセンジャーのように、チャット手段として使用するが、現在、文字メッセージ受信箱／発信箱の構造は、このようなチャット機能を支援してくれることができない実状である。
【０００８】
即ち、従来には発信または受信メッセージが区分されており、各々の発信または受信メッセージは発／受信者区分無しで時間順で羅列されているので、一人との文字メッセージの発／受信内訳を一目僚然に見ることが困難であった。
【発明の開示】
【発明が解決しようとする課題】
【０００９】
このような問題点を解決するために本発明は、文字メッセージ編集器で発信文字メッセージを作成し、発信文字メッセージ転送方法に対する環境を設定して一人以上の受信者に発信文字メッセージを転送する場合、これに対する応答として一人以上の受信者から受信文字メッセージの転送を受けて格納し、ユーザ端末機（発信端末機）に構成されているメッセージ受信箱の特定電話番号または統合管理グループ名により発信文字メッセージと受信文字メッセージとが時間順で統合して画面に出力する移動通信端末機及びその方法を提供することをその目的とする。
【課題を解決するための手段】
【００１０】
このような目的を達成するために本発明は、ユーザ端末機と相手方端末機との間に送受信される発信／受信文字メッセージを統合して時間順で共に出力する移動通信端末機であって、多数の数字キー、文字キー、通話キー、及び終了キーを具備してダイヤリング（Dialing）、メニュー選択、通話終了、及び命令入力のためのキー選択機能を提供し、上記移動通信端末機の文字メッセージ統合管理モードを選択した後、文字メッセージ編集器を駆動して、上記発信文字メッセージを作成し、上記発信文字メッセージの転送方法に対する実行環境を設定、格納するためのデータ入力手段としてのキー入力部と、電源の使用程度、電波の受信強度、上記移動通信端末機の全般的な動作状態を表示し、上記文字メッセージ統合管理モードを提供するためのインターフェース画面と上記発信文字メッセージと上記受信文字メッセージとを統合して出力する画面、上記発信文字メッセージの転送方法に対する環境設定のためのユーザインターフェース画面を表示するディスプレイ部と、上記文字メッセージ統合管理モードの上記文字メッセージ編集器で上記発信文字メッセージを作成し、発信者、一人以上の受信者を含む上記発信文字メッセージの転送方法に対する環境設定データを入力及び格納した後、上記一人以上の受信者に上記発信文字メッセージを転送すると、これに対する応答として上記一人以上の受信者から上記受信文字メッセージの転送を受けてメッセージ受信箱の受信目録のうち、どれか一つの受信者項目に上記発信文字メッセージと上記受信文字メッセージを時間順で統合して出力する文字メッセージ統合管理プログラムが内蔵されているメモリと、決まった通信プロトコルに従いデータの送受信が処理されるように制御し、上記メモリに格納されている上記文字メッセージ統合管理プログラムを駆動して上記発信文字メッセージと上記受信文字メッセージを統合した履歴を出力してくれる上記移動通信端末機を制御するマイクロプロセッサと、を含むことを特徴とする文字メッセージの統合管理機能を提供する移動通信端末機を提供する。
【００１１】
また、本発明の他の目的によると、ユーザ端末機と相手方端末機との間に送受信される発信／受信文字メッセージを統合して時間順で共に出力する文字メッセージの統合管理機能を提供する方法であって、（ａ）文字メッセージ編集器により上記発信文字メッセージを作成し、上記発信文字メッセージの転送方法に対するオプションを一つ以上選択して、オプションデータを入力することで、上記発信文字メッセージの転送方法に対する環境を設定するステップと、（ｂ）上記発信文字メッセージを上記相手方端末機へ転送し、これに対する応答として上記相手方端末機から上記受信文字メッセージの転送を受けるステップと、（ｃ）上記ユーザ端末機に形成されているメッセージ受信箱の受信目録のうち、どれか一つの受信者項目を選択する場合、上記ユーザ端末機の液晶画面に上記受信者項目とやりとりした上記発信文字メッセージと上記受信文字メッセージを時間順で統合して出力するステップと、を含むことを特徴とする文字メッセージの統合管理機能を提供する方法を提供する。
【発明の効果】
【００１２】
本発明によると、ユーザ端末機と特定相手方端末機との間に送受信される発信／受信文字メッセージを統合して時間順で共に出力する文字メッセージの統合管理機能を提供することで、恋人間の対話やスタディーグループ、サークルグループのように、頻繁に、かつ多数の人が文字メッセージをやりとりする場合、発信／受信文字メッセージの履歴を容易に追跡できる便利な効果がある。
【００１３】
また、本発明は、文字メッセージ編集器で発信文字メッセージを作成及び環境設定し、発信文字メッセージを転送する場合、この後、ユーザ端末機でメッセージ受信箱に既に格納されている特定電話番号または統合管理グループ名を選択した後、また発信文字メッセージを転送することになれば、既に設定されている一人以上の受信者に同時に発信者が作成した発信文字メッセージが自動転送されて数名の受信者に一々文字メッセージを転送しなくてもよい便利な効果がある。
【発明を実施するための最良の形態】
【００１４】
以下、本発明の好ましい実施形態を添付した図面を参照しつつ詳細に説明する。まず、各図面の構成要素への参照符号の付加において、同一な構成要素に対しては、たとえ他の図面上に表示されてもできる限り同一な符号が与えられていることに留意しなければならない。また、本発明の説明において、関連した公知構成または機能に対する具体的な説明が本発明の要旨を曖昧にする可能性があると判断される場合にはその詳細な説明は省略する。
【００１５】
図１は、本発明の好ましい実施形態に係る文字メッセージの統合管理機能を提供する移動通信端末機の内部構成を示すブロック構成図である。
【００１６】
本発明の好ましい実施形態に係る移動通信端末機は、プログラムメモリ１００、バッファーメモリ１１０、モード状態格納部１２０、マイクロプロセッサ１３０、キー入力部１４０、ディスプレイ部１５０、ディジタル信号処理部１６０、ベースバンド変換部１７０、スピーカ１８０、マイクロホン１９０、アンテナ１９１、及びＲＦ信号処理部１９２などを含んで構成される。
【００１７】
プログラムメモリ１００には移動通信端末機の動作のためのリアルタイム処理機能を有するＯＳ（Operating System）のソフトウェアと呼処理と関連した機能を処理する呼処理ソフトウェアなどが格納されており、本発明の実施形態に従い文字メッセージ統合管理モードで発信文字メッセージを作成する場合、ユーザ端末機へ転送される受信文字メッセージと相手方端末機へ転送した発信文字メッセージとを統合して、メッセージ受信箱３１０の特定電話番号または統合管理グループ名を通じて時間順で共に出力する文字メッセージ統合管理プログラムが格納されている。
【００１８】
文字メッセージ統合管理プログラムは、文字メッセージ統合管理機能の実行のためのソフトウェアプログラムであって、文字メッセージ統合管理モードを提供し、文字メッセージ統合管理モードの文字メッセージ編集器３００において、発信者、一人以上の受信者、統合管理グループ名３０２、３１２などの発信文字メッセージ転送方法に対する環境を設定して発信文字メッセージを転送することになれば、メッセージ受信箱３１０の統合管理グループ名３０２、３１２、または特定電話番号（受信者）に一人以上の受信者から転送された受信文字メッセージと一人以上の受信者に転送した発信文字メッセージを時間順で統合して出力する。ここで、統合管理グループ名３０２、３１２は、受信者を一人以上に指定して特定目的で集まった研究グループや同好会等で発信者と受信者の発信／受信文字メッセージを統合して１ケ所で見せてくれる時、チャットルームの対話ルームの名称のような役割を遂行する。
【００１９】
ここで、発信文字メッセージは、ユーザ端末機（発信端末機）から相手方端末機（受信端末機）へ転送するメッセージを意味し、受信文字メッセージは相手方端末機（受信端末機）から転送される一つ以上の文字メッセージを意味するものであって、受信者は数名であることがあるので、相手方端末機は一つ以上であることがある。
【００２０】
一方、文字メッセージ統合管理プログラムは、移動通信端末機の生産段階でプログラムメモリ１００に搭載することもでき、無線インターネット接続などにより移動通信事業者サーバーに接続してダウンロードして搭載することもできる。
【００２１】
バッファーメモリ１１０は、ＲＯＭ、ＥＥＰＲＯＭ、ＲＡＭ、フラッシュメモリ、揮発性、不揮発性メモリなどを含む概念であって、そのうち、どれか一つを使用し、移動通信端末機の内部回路基板に実装される。通常、ＲＯＭ領域にはマイクロプロセッサ１３０の動作プログラム、システムプログラムが格納され、必要によって電気的に削除するか、再度格納することができる。また、ＲＯＭにはプログラムメモリ１００に設置されたイヤホン感知制御プログラムなど、各種ソフトウェアの駆動と関連して発生するプログラムの変数や状態情報が格納されている。
【００２２】
ＥＥＰＲＯＭは、電気的に削除するか、再度格納することができるメモリであって、ＮＡＭ（Number Assignment Module）パラメータ、電話番号、名前、短文メッセージなどの格納用データが記録される不揮発性メモリである。
【００２３】
また、バッファーメモリ１１０は、通常的に移動通信端末機の動作プログラム実行時、データバッファー（Buffer）としての役割を遂行し、キー入力部１４０により入力されたデータを仮に格納したり外部から移動通信端末機に受信される文字やイメージなどのデータと本発明の実施形態に従い文字メッセージ統合管理モードで文字メッセージを転送する場合、受信文字メッセージ、発信文字メッセージと、発信者、受信者、及び統合管理グループ名３０２、３１２のような文字メッセージ転送方法に対する環境設定データなどをデータ情報として格納する。
【００２４】
モード状態格納部１２０は、キー入力部１４０により選択された移動通信端末機の現在動作モードを状態フラグ（Flag）（０、１、２、・・・）で格納するが、マイクロプロセッサ１３０は、移動通信端末機が受信モード、発信モード、格納モード、検索モード、通話モード、及び文字メッセージ統合管理モードなどを区分するために、各々のモード毎に固有な状態フラグを割り当ててモード状態格納部１２０を更新する。特に、本発明の実施形態に係る文字メッセージ統合管理モードを状態フラグで格納する。
【００２５】
マイクロプロセッサ１３０は、モード状態格納部１２０に格納されている状態フラグを参照してネットワークと送受信データの決まった規約に従い通信プロトコルが処理されるように移動通信端末機の全般的な動作を制御する。特に、マイクロプロセッサ１３０は、文字メッセージ編集器３００にて発信文字メッセージを作成し、発信文字メッセージ転送方法に対する環境を設定して一人以上の受信者に発信文字メッセージを転送し、これに対する応答として一人以上の受信者から受信文字メッセージの転送を受けて格納し、ユーザ端末機（発信端末機）に構成されているメッセージ受信箱３１０のうち、特定電話番号または統合管理グループ名３０２、３１２を通じて発信文字メッセージと受信文字メッセージが時間順で統合してユーザ端末機の液晶画面に出力されるように制御する。
【００２６】
また、マイクロプロセッサ１３０は、ユーザ端末機（発信端末機）のメッセージ受信箱３１０に既に格納されている特定電話番号または統合管理グループ名３０２、３１２が存在する場合、この後に同一な特定電話番号または統合管理グループ名３０２、３１２を通じて送受信される発信文字メッセージと受信文字メッセージは既に格納されている発信文字メッセージと受信文字メッセージの履歴に追加してユーザ端末機の液晶画面に統合して出力されるように制御する。
【００２７】
また、マイクロプロセッサ１３０は、ユーザ端末機（発信端末機）のメッセージ受信箱３１０に既に格納されている特定電話番号または統合管理グループ名３０２、３１２を選択し、ユーザ端末機から発信文字メッセージを転送することになれば、既に設定されている一人以上の受信者に同時に発信者が作成した発信文字メッセージが自動転送されるように制御する。
【００２８】
キー入力部１４０には、複数の数字キー、文字キー、通話キー、及び終了キーが備えられて、ダイヤリング（Dialing）やメニュー選択、通話終了、命令入力のためのキー選択機能を提供する。また、ユーザはキー入力部１４０に備えられている数字キー、ファンクションキー、カーソル移動キーなどを操作して移動通信端末機の文字メッセージ統合管理モードを選択し、文字メッセージ編集器３００を駆動する。また、キー入力部１４０は、キーボタンを操作して文字メッセージ編集器３００にて発信文字メッセージを作成し、文字メッセージ編集器３００のオプションを一つ以上（発信者、受信者等）選択してオプションデータを入力及び格納するためのデータ入力手段の機能をする。ここで、オプションデータは、受信者の名前／電話番号、発信者電話番号、統合管理グループ名３０２、３１２、転送方法（普通、緩く、等）、添付ファイル、及び格納オプションなどに入力されるデータを意味する。
【００２９】
ディスプレイ部１５０は、電源の使用程度、電波の受信強度、及び日付と時間を含んで移動通信端末機の全般的な動作状態を表示する。また、本発明の実施形態によると、ディスプレイ部１５０はメッセージ受信箱３１０の特定電話番号または統合管理グループ名３０２、３１２を選択する場合、その番号またはグループ名で発信または受信された発信文字メッセージ、受信文字メッセージを統合して出力する画面、文字メッセージ編集器３００の格納オプション項目、発信者項目、受信者項目、統合管理グループ名３０２、３１２項目、文字メッセージエディタ、添付ファイル項目、及び転送方法項目などを含むユーザインターフェース画面を表示する。
【００３０】
ディジタル信号処理部１６０（Digital Signal Processor；以下、‘ＤＳＰ’と称する）は、ベースバンド変換部１７０とやりとりするオーディオデータに対して符号化（Encoding）または復号化（Decoding）するオーディオデータ処理機能を実行し、多重経路の雑音除去のためにイコライズ機能を実行するディジタル信号処理プロセッサである。また、ディジタル信号処理部１６０は、ベースバンド変換部１７０から受信メッセージデータ（ＲＸ ＤＡＴＡ）を受信する。
【００３１】
ベースバンド変換部１７０は、スピーカ１８０、マイクロホン１９０、及びＲＦ信号処理部１９２と送受信する信号を基底帯域の信号に変換し、ディジタル−アナログ変換及びアナログ−ディジタル変換処理などの機能を実行する。したがって、ベースバンド変換部１７０は、ＤＳＰ１６０から受信したオーディオデータをオーディオ信号に変換してスピーカ１８０へ出力したり、マイクロホン１９０から入力されたオーディオ信号をオーディオデータに変換してＤＳＰ１６０へ出力する。
【００３２】
また、ベースバンド変換部１７０は、マイクロプロセッサ１３０から入力された送信メッセージデータ（ＴＸ ＤＡＴＡ）を送信メッセージ信号（ＴＸＩＱ）に変換してＲＦ信号処理部１９２へ出力したり、ＲＦ信号処理部１９２から入力された受信メッセージ信号（ＲＸＩＱ）を受信メッセージデータ（ＲＸ ＤＡＴＡ）に変換してＤＳＰ１６０へ出力する。そして、ベースバンド変換部１７０は、ＲＦ信号処理部１９２の電力（ＰＯＷＥＲ）に対する利得を自動で制御する（ＡＧＣ）。
【００３３】
スピーカ１８０は、ベースバンド変換部１７０から出力されるオーディオ信号を可聴音で出力し、マイクロホン１９０音声入力をオーディオ信号に変換する。
【００３４】
アンテナ１９１は、ＲＦ信号を公衆へ送出したり、公衆から受信したＲＦ信号をＲＦ信号処理部１９２へ伝達する。
【００３５】
ＲＦ信号処理部１９２は、送信メッセージ信号をＲＦ（Radio Frequency）信号に変換してアンテナ１９１へ出力したり、アンテナ１９１から印加されたＲＦ信号を受信メッセージ信号（ＲＸＩＱ）に変換してベースバンド変換部１７０へ出力する。
【００３６】
図２は、本発明の好ましい実施形態に係る文字メッセージの統合管理機能を提供する方法を示すフローチャートである。
【００３７】
図２を説明する前に、移動通信端末機は前述した機能の文字メッセージ統合管理プログラムが搭載されていると仮定する。
【００３８】
移動通信端末機の文字メッセージ機能のうち、文字メッセージ統合管理モードを選択して実行する（Ｓ２００）。文字メッセージ統合管理モードは、既存の文字メッセージ受信箱／発信箱のように、着／発信者の区分無しで、時間順で発信メッセージと受信メッセージを羅列して表示する構造でなく、発信者と受信者が送受信した発信／受信文字メッセージのうち、特定電話または統合管理グループ名３０２、３１２と関連した発信／受信メッセージを統合した後、時間順で見せる機能をする文字メッセージインターフェースを意味する。次に、移動通信端末機の文字メッセージ編集器３００を駆動して発信文字メッセージを作成し、発信者項目、発信文字メッセージを転送する一人以上の受信者項目を入力し、数名の受信者とメッセージをやりとりする場合、チャットでの対話ルームのように統合管理グループ名３０２、３１２を入力して格納する等、文字メッセージ統合管理に必要ないろいろ環境変数を設定して格納した後（Ｓ２０２）、相手方端末機へ文字メッセージを転送する（Ｓ２０４）。
【００３９】
ここで、発信文字メッセージは、ユーザ端末機（発信端末機）から相手方端末機（受信端末機）へ転送するメッセージを意味し、受信文字メッセージは相手方端末機（受信端末機）から転送される一つ以上の文字メッセージを意味するものであって、相手方端末機は一つ以上であることができる。
【００４０】
本発明の実施形態では、文字メッセージ編集器３００の環境設定過程で、発信文字メッセージを受信する一人以上の受信者を入力して格納するように構成したが、従来の文字メッセージ構造のように、発信文字メッセージのみ作成し、メッセージ受信者項目で一人以上の受信者を入力して指定することもできる。
【００４１】
本発明の実施形態での文字メッセージ編集器３１０は、文字メッセージエディタ、発信者項目、受信者項目、統合管理グループ名入力項目、格納オプション項目、添付ファイル項目、及び転送方法項目などを含んで、文字メッセージ編集器３１０で発信文字メッセージ作成と環境設定を同時に行うことができるように構成したが、説明の便宜のためのものであり、必要によって分離したり他の環境設定オプションを追加して構成することができる。
【００４２】
ユーザ端末機から作成して転送した発信文字メッセージの応答として相手方端末機（一つ以上）から一つ以上の受信文字メッセージの転送を受けてメッセージ受信箱３１０に格納する（Ｓ２０６）。
【００４３】
ユーザがメッセージ受信箱３１０を選択して特定電話番号または特定グループ名を選択すると、例えばユーザが‘ホンキルドン’という受信者と文字メッセージをやりとりする場合、メッセージ受信箱３１０の‘ホンキルドン’（受信者）の電話番号を選択すれば、‘ホンキルドン’とユーザとの間にやりとりした発信／受信文字メッセージが時間順で順次に統合して出力し、この後に‘ホンキルドン’とやりとりした文字メッセージは既に格納された発信／受信メッセージに追加して出力されることによって、チャットルームで対話したように、一つに括ってユーザ端末機の液晶画面に出力される（Ｓ２０８）。
【００４４】
既に格納されているメッセージ受信箱３１０の特定電話番号または統合管理グループ名３０２、３１２を選択した後、ユーザが発信文字メッセージを作成して転送することになれば、選択した特定電話番号または統合管理グループ名３０２、３１２で既に設定されている一人以上の受信者に発信文字メッセージが同時に自動転送される。
【００４５】
図３は、本発明の好ましい実施形態に係る文字メッセージの統合管理機能を提供するインターフェース画面の一例であって、図３ａは受信されたメッセージ保管箱のユーザインターフェース画面であり、図３ｂは受信端末機から転送された一人以上の受信者の受信文字メッセージと受信端末機へ転送した発信文字メッセージを一つの画面に統合して出力した画面であり、図３ｃは発信文字メッセージを作成する場合、メッセージ作成及び環境設定のユーザインターフェース画面である。
【００４６】
図３ａはユーザ端末機のメッセージ受信箱３１０に格納されている特定電話番号または統合管理グループ名３０２、３１２からなるユーザインターフェース画面であり、図３ｂは図３ａのメッセージ受信箱３１０のうち、‘大学生の集まり’という統合管理グループ名３０２、３１２を選択した場合の例示画面であって、ユーザは６名の受信者を指定して発信文字メッセージを転送し、これに対する応答として受信者２人から受信文字メッセージの転送を受けて発信／受信文字メッセージを統合して時間順で出力したものである。
【００４７】
図３ｃは、ユーザ端末機の文字メッセージ編集器３０２、３１２を利用して発信文字メッセージを作成する場合、発信文字メッセージ作成と発信文字メッセージの転送方法に対する環境設定の例示画面であって、ユーザは文字メッセージ編集器３０２、３１２の文字メッセージエディタを利用して発信文字メッセージを作成し、発信者の電話番号と一人以上の受信者を入力して、受信者が数名の場合に、文字メッセージの統合管理のために統合管理グループ名３０２、３１２を入力する等、文字メッセージの統合管理のための環境を設定した後、発信文字メッセージを相手方端末機へ転送する。ここで、統合管理グループ名３０２、３１２を入力できる項目は、図３ｃに図示された‘メッセージの集め’という項目である。
【００４８】
次に、‘スタディー’という統合管理グループ名３０２、３１２を通じて発信者と６人の受信者との間にやりとりするユーザの発信文字メッセージと６人の受信者の受信文字メッセージを時間順で統合して画面に出力することによって、チャットルームで対話することと同一な機能を具現する。
【００４９】
本発明の実施形態での文字メッセージ編集器３１０は、文字メッセージエディタ、発信者項目、受信者項目、統合管理グループ名入力項目、格納オプション項目、添付ファイル項目（検索）、転送方法項目（普通、早く）などを含んで、文字メッセージ編集器３１０で発信文字メッセージ作成と発信文字メッセージの転送方法に対する環境設定を同時に行うことができるように構成した。
【００５０】
以上の説明は、本発明を例示的に説明したことに過ぎないものであって、本発明が属する技術分野で通常の知識を有する者であれば、本発明の本質的な特性から外れない範囲で多様な変形が可能である。したがって、本明細書に開示された実施形態は本発明を限定するためのものでなく、説明するためのものであり、このような実施形態により本発明の思想と範囲が限るのではない。本発明の範囲は下記の請求範囲により解されなければならなくて、それと同等な範囲内にある全ての技術は本発明の権利範囲に含まれることと解されているべきである。
【図面の簡単な説明】
【００５１】
【図１】本発明の好ましい実施形態に係る文字メッセージの統合管理機能を提供する移動通信端末機の内部構成を示すブロック構成図である。
【図２】本発明の好ましい実施形態に係る文字メッセージの統合管理機能を提供する方法を示すフローチャートである。
【図３】本発明の好ましい実施形態に係る文字メッセージの統合管理機能を提供するインターフェース画面の一例であって、図３ａは受信されたメッセージ保管箱のユーザインターフェース画面であり、図３ｂは受信端末機から転送された一人以上の受信者の受信文字メッセージと受信端末機へ転送した発信文字メッセージとを一つの画面に統合して出力した画面であり、図３ｃは文字メッセージを作成する場合、メッセージ作成及び環境設定のユーザインターフェース画面である。
【図１】
2008544628.tif 000003
【図２】
2008544628.tif 000004
【図３】
2008544628.tif 000005
【国際調査報告】
2008544628.tif 000006
2008544628.tif 000007